(57)【要約】【課題】  上げ下げ窓における気密性および水密性を確保しつつ、障子の開閉操作性および気密材の耐久性を向上させる。【解決手段】  本発明の上げ下げ窓１は、壁面８に形成された開口部８１を室内側から閉鎖しうる障子２がスライドレール３に沿って昇降自在に支持されている。開口部８１の室内側の左右両側には、それぞれスライドレール３を互いに平行に配設する。各スライドレール３には、レールを摺動するスライダ３１を備え、これらのスライダ３１間に障子２を走方向変換手段４を介在させて取着する。そして障子２は、開口部８１の室内側周縁部に添設された気密材６から離間した状態で、壁面８と平行に昇降するとともに、走方向変換手段４を介して壁面８と平行な姿勢のまま水平移行することができ、開口部８１の気密材６に均等に密着しうる構成とする。【選択図】  図６
2006169858.tif 000002
【特許請求の範囲】
【請求項１】
壁面に形成された開口部を室内側から閉鎖しうる障子がスライドレールに沿って昇降自在に支持された上げ下げ窓であって、
開口部の室内側の左右両側にそれぞれスライドレールが互いに平行に配設され、各スライドレールには、レールを摺動するスライダが備えられるとともに、これらのスライダ間に障子が走方向変換手段を介在させて取着されて、
壁面から離間した状態で壁面と平行に上昇した障子が、走方向変換手段を介して壁面と平行な姿勢のまま開口部方向に水平移行することにより開口部が閉鎖されることを特徴とする上げ下げ窓。
【請求項２】
走方向変換手段は、回転板、ガイドローラー、およびストッパ部材を備え、
回転板は３つの連結部を有し、第１連結部はスライダに回転可能に枢支され、第２連結部はスライドレールの室外側にあって第１連結部よりも上方に設けられ、ガイドローラーを備えるとともに障子の縦框を連結してなり、第３連結部はスライドレールの室内側にあって第２連結部よりも上方に設けられて、ガイドローラーを備えた構成とされ、
ストッパ部材は、スライドレールの室外側に突出して第２連結部のガイドローラーが当接しうる底面が水平に形成されて、スライドレールに沿って上昇した第２連結部のガイドローラーのそれ以上の上昇を規制し、
このストッパ部材の上部のスライドレール上には、室内側方向に開口する第３連結部の出没部が設けられて、
スライダの上昇によって第２連結部のガイドローラーがストッパ部材に当接すると、この第２連結部がストッパ部材に沿って室外側へ移行して回転板を回転させるとともに、第３連結部のガイドローラーが出没部内へ転動して、第２連結部に結合された障子を開口部方向に水平移行させることを特徴とする請求項１に記載の上げ下げ窓。
【請求項３】
請求項２に記載の上げ下げ窓において、出没部内には室内側下方向へ傾斜した案内面が設けられて、
スライダの降下に伴って、出没部内の第３連結部のガイドローラーが、案内面に沿ってスライドレールの室内側へ移行して回転板を回転させるとともに、第２連結部のガイドローラーがストッパ部材に沿って室内側へ転動して、開口部を閉鎖していた障子が室内側へ水平移行されることを特徴とする上げ下げ窓。
【請求項４】
開口部の室内側周縁部または障子の室外側周縁部のいずれか一方に気密材が添設されて、障子が開口部を閉鎖したとき、気密材と障子とが密着して気密および水密を保つようになされたことを特徴とする請求項１〜３のいずれかに記載の上げ下げ窓。
【発明の詳細な説明】
【技術分野】
【０００１】
本発明は、上げ下げ窓に関し、特に障子の操作性の改善および障子閉鎖時の気密性・水密性の向上を図った上げ下げ窓に関する。
【背景技術】
【０００２】
一般に、住宅等の建物の開口部は、その外壁面に窓枠を取り付け、この窓枠内に障子を開閉自在に建て込み、窓枠または障子の外周部に気密材を設けることによって、障子を閉じた時に気密材を窓枠に密着させ、外部から外気や雨水の浸入を防止するように図られている。
【０００３】
このような気密性や水密性を確保する手段は、障子を上下に昇降させて開閉する上げ下げ窓においても、障子の外周部や上下の障子の召し合せ框に気密材を設けることによってなされている。従来、例えば特許文献１，２等に記載されているような上げ下げ窓の構造が提案されている。この種の上げ下げ窓は、外障子と内障子の少なくともいずれか一方が縦枠に昇降自在に支持されており、外障子の下框と内障子の上框の一方または両方に気密材が備えられ、この気密材を他方に密着させることによって、障子を閉鎖したときの気密性を確保するようになされている。
【特許文献１】特開２００３−３２８６５５号公報
【特許文献２】特開２００３−６４９６６号公報
【発明の開示】
【発明が解決しようとする課題】
【０００４】
上記のような上げ下げ窓は、内障子と外障子とが相対的に開閉移動する構造上、障子の開閉操作時に気密材を他方の障子に押しつけつつ昇降させることになるので、外障子または内障子の気密材が擦れ、ねじれたり変形したりするおそれがあった。このように気密材が他方の障子等に擦れると、ゴム等の弾性材からなる気密材を採用している場合には特に、気密材の変形等によって障子閉鎖時に内障子と外障子との間に隙間ができ、障子間の気密性や水密性が低下してしまうという問題点があった。また、このように気密材が他方の障子等に擦れることで、障子の上げ下げが重くなったり、不快な音を生じたりする原因にもなりかねなかった。
【０００５】
また、上記のような上げ下げ窓のほか、壁面に設けられた開口部に対して、一枚の障子が室内側から昇降することによって、開口部を開閉する構造の上げ下げ窓においても、開口部と障子との間での同様の課題を有しており、障子に設けられた気密材を変形させることなく、障子の上げ下げを可能とするような技術が必要とされていた。
【０００６】
そこで本発明は、上記のような問題点にかんがみてなされたものであり、上げ下げ窓における気密性および水密性を確保しつつ、障子の開閉操作性および気密材の耐久性を向上させることのできる上げ下げ窓を提供することを目的としている。
【課題を解決するための手段】
【０００７】
上記した目的を達成するため、本発明は、壁面に形成された開口部を室内側から閉鎖しうる障子がスライドレールに沿って昇降自在に支持された上げ下げ窓であって、開口部の室内側の左右両側にそれぞれスライドレールが互いに平行に配設され、各スライドレールには、レールを摺動するスライダが備えられるとともに、これらのスライダ間に障子が走方向変換手段を介在させて取着されて、壁面から離間した状態で壁面と平行に上昇した障子が、走方向変換手段を介して壁面と平行な姿勢のまま開口部方向に水平移行することにより開口部が閉鎖されることを特徴とする。
【０００８】
この構成によれば、昇降可能な障子が、閉鎖する開口部から離間した状態で壁面と平行に上げ下げされるので、昇降時に障子が開口部や壁面に擦れることがない。また、かかる障子の昇降はスライダの上下動で操作することができ、かかるスライダの上下動を走方向変換手段によって水平動へ変換することもできるようになされている。したがって、壁面から離間した状態で上昇した障子を、開口部方向に水平移行させるため動力や操作が別途必要になることはなく、スライダを昇降させる操作だけで障子を開閉することができ、操作性も高めることができる。
【０００９】
上記の走方向変換手段の具体的な構成としては、回転板、ガイドローラー、およびストッパ部材を備えたものが挙げられる。このうち、回転板は３つの連結部を有し、第１連結部はスライダに回転可能に枢支され、第２連結部はスライドレールの室外側にあって第１連結部よりも上方に設けられ、ガイドローラーを備えるとともに障子の縦框を連結してなり、第３連結部はスライドレールの室内側にあって第２連結部よりも上方に設けられて、ガイドローラーを備える。ストッパ部材は、スライドレールの室外側に突出して第２連結部のガイドローラーが当接しうる底面が水平に形成されて、スライドレールに沿って上昇した第２連結部のガイドローラーのそれ以上の上昇を規制し、このストッパ部材の上部のスライドレール上には、室内側方向に開口する第３連結部の出没部が設けられている。
【００１０】
このような構成により、スライダの上昇によって第２連結部のガイドローラーがストッパ部材に当接すると、この第２連結部がストッパ部材に沿って室外側へ移行して回転板を回転させるとともに、第３連結部のガイドローラーが出没部内へ転動して、第２連結部に結合された障子を開口部方向に水平移行させることができる。
【００１１】
また、本発明は前記上げ下げ窓において、前記出没部内には室内側下方向へ傾斜した案内面が設けられており、スライダの降下に伴って、出没部内の第３連結部のガイドローラーが、案内面に沿ってスライドレールの室内側へ移行して回転板を回転させるとともに、第２連結部のガイドローラーがストッパ部材に沿って室内側へ転動して、開口部を閉鎖していた障子が室内側へ水平移行するように構成されている。
【００１２】
さらに、本発明の上げ下げ窓においては、気密材が、開口部の室内側周縁部または障子の室外側周縁部のいずれか一方に添設され、障子が開口部を閉鎖したとき、気密材と障子とが密着して気密および水密を保つようになされることを特徴としている。
【００１３】
前記のように障子は、壁面から離間した状態で昇降し、走方向変換手段を介して開口部方向に水平移行して、開口部を閉鎖するようになされるので、障子の昇降動作によっても、開口部の室内側周縁部または障子の室外側周縁部に添設された気密材が他方に擦れることがなく、気密材の変形や破損のおそれもない。また、障子は壁面と平行な姿勢のまま水平移行して開口部を閉鎖するので、障子と開口部との間で気密材が均等に密着し、障子と開口部との間の高い気密性および水密性を確保することができる。
【発明の効果】
【００１４】
上述のように構成される本発明の上げ下げ窓によれば、障子の開閉操作時、気密材を押しつけつつ障子を昇降させるということがないので、気密材の変形や破損のおそれがなく、気密材を良好な状態で長期間使用することができ、また、障子は壁面と平行な姿勢のまま水平移行して開口部を閉鎖するので、気密材がねじれたりめくれたりすることがなく、障子と開口部との間で気密材が均等に密着し、高い気密性と水密性を確保するとともに、気密材の耐久性を高めることができる。また、これにより、障子の開閉操作を軽い力で行うことができ、操作性をも高めることができる。
【発明を実施するための最良の形態】
【００１５】
以下、本発明に係る上げ下げ窓を実施するための最良の形態について、図面を参照しつつ説明する。図１および図２は本発明の上げ下げ窓を示し、図１は上げ下げ窓を室外側から見た正面図、図２は上げ下げ窓を設けた壁面の室内側正面図である。
【００１６】
本発明に係る上げ下げ窓１は、壁面に形成された開口部８１を室内側から閉鎖しうる障子２が、スライドレール３に沿って昇降自在に支持されている。
【００１７】
スライドレール３は、開口部８１の室内側の左右両側に互いに平行に配設されている。各スライドレール３には、レールを摺動するスライダ（図示省略）が備えられており、これらのスライダ間に障子２が、壁面８から離間して走行するように備えられている。また、この障子２は、走方向変換手段を介在させて左右のスライダ間に取着されている。走方向変換手段は、スライドレール３に沿って壁面８から離間した状態で垂直方向に上昇した障子２を、壁面８の開口部８１の方向に水平に移行させ、また逆に、開口部８１からスライドレール３の方向に水平に移行した障子２を、スライドレール３に沿って垂直に下降させるものである。これにより、図示するように、開口部８１が障子２で閉鎖されるような仕組みになっている。
【００１８】
また、上げ下げ窓１の気密材は、開口部８１の窓枠８１１の室内側周縁部、または障子２の室外側周縁部の少なくともいずれか一方に設けられて、開口部８１が障子２で閉鎖されることによって両者の間に気密材が密着し、気密性および水密性を確保するようになされている。したがって、障子２が開口部８１を開放して昇降動作する間は、障子２は壁面８から離間して走行するので、障子２と気密材とは全く擦れることがなく、摩擦抵抗を生じることがないので、気密材の変形や破損を防ぐことができる。
【００１９】
なお、図１，２では、開口部８１として丸窓を例示したが、本発明は開口部８１に障子面を押し当てることで開口部８１を閉鎖する構成であるので、開口部８１の形状はこれに限定されず、三角形、多角形、楕円形、または複数種類の直線や曲線で囲まれた形状等、いろいろな形状の開口部８１に適用することができる。
【実施例】
【００２０】
次に、本発明に係る上げ下げ窓の実施例について説明する。図３〜図８は本発明の上げ下げ窓の実施例を示し、図３，４は上げ下げ窓の内部機構を室内側から見た正面図、図５（ａ）（ｂ）は上げ下げ窓の縦断面図、図６は上げ下げ窓の横断面図、図７は上げ下げ窓の分解斜視図、図８（ａ）〜（ｃ）は上げ下げ窓の走方向変換手段の動作を示す説明図である。なお、図５、図６においては図面を見やすくするために、窓枠や障子等の構成部材には断面を示すハッチングを省略して記載している。
【００２１】
本実施例の上げ下げ窓１は、図３，４に示すように、開口部（８１）の室内側の左右両側に互いに平行に配設されたスライドレール３に沿って障子２が昇降し、スライドレール３の上部で開口部を閉鎖するように構成されている。以下の実施例では、図５（ａ）に示すように、上げ下げ窓１が壁体の内側に納められて、室外側の壁面８と、室内側の壁面８０の双方に対応して設けられた開口部８１の窓枠８１１，８１２の間を障子２が昇降して、室外側壁面８の開口部８１を閉鎖しうるようになされた例を説明する。
【００２２】
図６，図７に示すように、スライドレール３は、溝形状に形成されて、壁面８から所定距離だけ離間した位置に設けられている。スライドレール３を摺動するスライダ３１は、スライドレール３の内側に収容されており、長尺板状に形成されたスライドバー３２を障子２との間に備えている。スライドレール３に沿って昇降する障子２は、左右縦框２１の上下２箇所の支持点で、走方向変換手段４を介して、スライダ３１およびスライドバー３２に取着されている。
【００２３】
走方向変換手段４は、スライドバー３２の上下両端部にそれぞれ設けられている。各走方向変換手段４は、回転板４１、ガイドローラー４２，４３、およびストッパ部材４４を備えた構成とされている。
【００２４】
この走方向変換手段４の回転板４１は、略三角形状に形成されて３つの連結部を有する。このうち、第１連結部４１１は、スライドバー３２を挟んでスライダ３１に回転可能に枢支されている。
【００２５】
第２連結部４１２は、図８（ａ）に示すように、スライドレール３の室外側にあって第１連結部４１１よりも上方に設けられている。この第２連結部４１２には、回転軸４１２ａに連結されたガイドローラー４２がスライドレール３の側部に位置するように備えられている。また、この第２連結部４１２には、上面視略Ｌ字状の障子取付板５が結合され、この障子取付板５を介して障子２の背面側が第２連結部４１２に連結されている。
【００２６】
第３連結部４１３は、スライドレール３の室内側にあって第２連結部４１２よりも上方に設けられている。この第３連結部４１３にも、回転軸４１３ａに連結されたガイドローラー４３が備えられて、第２連結部４１２のガイドローラー４２とでスライドレール３を室外側と室内側から挟むように配置されている。これにより、障子２の昇降時には回転板４１が回転しないようになされている。
【００２７】
ストッパ部材４４は、その底面が水平な平滑面で構成されており、底面がスライドレール３の室外側に突出するように、スライドレール３の幅方向に設けられている。このストッパ部材４４の底面には、第２連結部４１２のガイドローラー４２が当接しうるようになっている。
【００２８】
また、このストッパ部材４４の天面側は、室内側下方へ傾斜した斜面が形成されて案内面４６となされている。スライドレール３は、案内面４６を備えたストッパ部材４４の取付位置が、室内側方向に開口しており、この開口部に連続するように案内面４６をスライドレール３の内側に納めている。これにより、第３連結部４１３の出没部４５が設けられている。
【００２９】
回転板４１は、第１連結部を支点として回転するが、この回転板４１が回転する際に第３連結部４１３はスライドレール３の内外へ出没する。出没部４５は、この第３連結部４１３、および第３連結部４１３のガイドローラー４３を内側に収容するためのスペースとして設けられている。
【００３０】
さらに、スライドバー３２にも、回転板４１の回転により、第３連結部４１３のガイドローラー４３が出没部４５内に収容されたとき、回転軸４１３ａの逃げを確保しうる切欠部３２１が設けられている。例示の形態では、スライドバー３２と下方の回転板４１との間にだけ設けられている。
【００３１】
また、本実施例において、気密材６は、気密性および水密性を有する断面中空のゴム状弾性部材からなり、開口部８１の窓枠８１１の室内側周縁部に添設されている。図５（ｂ）および図６は、開口部８１が障子２で閉鎖された様子を示している。図示するように、障子２と開口部８１の周縁部との間に介在された気密材６は、障子２によって押しつけられ、両者の間に密着して気密を保つようになされる。この気密材６は、開口部８１の周縁部と、障子２との間に介在されていればよいので、開口部８１の周縁部に対応して、障子２の室外側周縁部に添設されていてもよい。
【００３２】
以上のような構成の上げ下げ窓１は、図３に示したように、スライダ３１が電動モーターＭ等の駆動により押し上げられ、これに伴って、図５（ａ）に示すように、障子２がスライドレール３に沿って壁面８の窓枠８１１の気密材６から離間した状態で、壁面８と平行に上昇する。
【００３３】
障子２の上昇時、図８（ａ）に示すように、走方向変換手段４のガイドローラー４２，４３は、それぞれスライドレール３の室外側と室内側に沿って走行し、障子２を壁面８と平行な状態にしたまま上昇させる。
【００３４】
障子２が所定の高さまで上昇すると、図８（ｂ）に示すように、回転板４１の第２連結部４１２のガイドローラー４２が、ストッパ部材４４の底面に当接する。これにより、スライドレール３に沿って上昇した第２連結部４１２のガイドローラー４２が、それ以上、上昇するのを止める。
【００３５】
このままさらに、スライダ３１が押し上げられると、第２連結部４１２のガイドローラー４２は、第１連結部４１１の上昇によって室外側に押し出されて、ストッパ部材４４の底面に沿って室外側へ移行する。また、これと同時に、第３連結部４１３のガイドローラー４３は、スライドレール３の出没部４５内へ、ほぼ案内面４６に沿うようにして転動し、回転板４１を回転させる。
【００３６】
このように回転板４１が回転すると、第２連結部４１２に結合された障子取付板５を介して、障子取付板５に取着された障子２が開口部方向（室外側）へ押し出され、壁面８と平行な姿勢のまま水平移行する。そして、障子取付板５に取着された障子２が、窓枠８１１の室内側周縁部の気密材６を強く押しつけるまで、スライダ３１が上昇する（図８（ｃ）参照）。
【００３７】
スライダ３１の上昇が停止すると、障子２の水平移行が停止するとともに、回転板４１の回転が停止し、障子２が最大限、室外側へ押し出された状態となる。これにより、図５（ｂ）および図６に示したように、障子２が開口部８１の窓枠８１１に添設された気密材６にしっかりと密着して、開口部８１を気密・水密状態に閉鎖することとなる。
【００３８】
また、上記のように開口部８１が障子２に閉鎖された状態から、スライダ３１を降下させ始めると、前記上昇時の動作とは逆に、スライドレール３の出没部４５内に収容されていた第３連結部４１３のガイドローラー４３が、案内面４６に沿って転動してスライドレール３の室内側へ移行する。これにより、回転板４１が回転するとともに、第２連結部４１２のガイドローラー４２も室内側へ引き戻される。このような回転板４１の回転により、障子２が開口部８１から離れ、室内側へ水平移行する。
【００３９】
第３連結部４１３のガイドローラー４３が、案内面４６から離れてスライドレール３の室内側まで戻ると、障子２は、壁面８の窓枠８１１の気密材６から離間した元の昇降位置まで戻され、壁面８と平行に下降することになる。これにより、開口部８１が開放される。
【００４０】
このように、本発明の上げ下げ窓１においては、障子２が窓枠８１１の気密材６から離間して昇降する仕組みであるので、障子２の昇降時に、気密材６と障子２とが互いに擦れることがなく、開口部８１の開閉をすることができる。これは、開口部８１の形状に対応して、気密材６が障子２の室外側周縁部に添設されている場合でも同様である。
【００４１】
したがって、気密材６が変形したり破損したりするおそれがなく、良好な状態で長期間使用することができる。また、障子２が壁面８に対して傾くことなく、壁面８と平行な状態で水平に移行して開口部８１の気密材６に押しつけられるので、気密材６は、障子２と開口部８１との間で均等に押圧されて両者に密着し、高い気密性を確保することができる。さらに、障子２が壁面８から離間して、障子２と気密材６とが擦れることなく昇降することにより、障子２を昇降させるときの気密材６との摩擦抵抗がなく、障子２の上げ下げに要する力を小さくすることができる。
【００４２】
加えて、上げ下げ窓１においては、障子２を昇降させる上下方向の力のみを作用させるだけで、その上下方向の力を変換して、障子２を室外側と室内側との双方向に移動させることができる。したがって、スライダ３１の昇降方向のみの駆動だけでよく、かかる駆動が電動モーター等の自動でなされる場合には、その駆動構造を単純にすることができる。また、手動でスライダ３１を昇降させるような機構を備えた場合には、障子２の開閉操作が極めて容易であり、高い操作性を実現することができる。
【００４３】
なお、上記実施例では開口部８１として丸窓を例にあげて説明したが、本発明はこれに限定されず、いろいろな形状の開口部にも適用することができる。
【図面の簡単な説明】
【００４４】
【図１】本発明に係る上げ下げ窓を室外側から見た正面図である。
【図２】前記上げ下げ窓を室内側から見た正面図である。
【図３】本発明の上げ下げ窓の実施例について障子が上昇する様子を示す正面図である。
【図４】前記上げ下げ窓の障子が開口部を閉鎖した状態を示す正面図である。
【図５】前記上げ下げ窓の縦断面図であり、（ａ）は開放状態、（ｂ）は閉鎖状態を示す。
【図６】前記上げ下げ窓の横断面図であり、開口部が閉鎖された状態を示す。
【図７】前記上げ下げ窓の分解斜視図である。
【図８】前記上げ下げ窓の走方向変換手段の動作を示す説明図である。
【符号の説明】
【００４５】
１    上げ下げ窓
２    障子
２１  縦框
３    スライドレール
３１  スライダ
３２  スライドバー
４    走方向変換手段
４１  回転板
４１１  第１連結部
４１２  第２連結部
４１３  第３連結部
４２，４３  ガイドローラー
４４  ストッパ部材
４５  出没部
４６  案内面
５    障子取付板
６    気密材
８    壁面
８１  開口部
【図１】
2006169858.tif 000003
【図２】
2006169858.tif 000004
【図３】
2006169858.tif 000005
【図４】
2006169858.tif 000006
【図５】
2006169858.tif 000007
【図６】
2006169858.tif 000008
【図７】
2006169858.tif 000009
【図８】
2006169858.tif 000010